(57)【特許請求の範囲】
【請求項１】
鍋と、前記鍋の開口部を覆う蓋と、前記蓋に設けられ前記鍋内の蒸気を排出する蒸気孔を有する蓋加熱板と、前記蓋に設けられ前記蒸気孔と連通する蒸気通路と、前記蓋に着脱自在に設けられ、前記蒸気通路と連通し前記鍋内の蒸気を機外へ放出する蒸気筒と貯水容器とを有する貯水容器一体型蒸気筒と、前記貯水容器一体型蒸気筒が前記蓋に装着されたとき前記貯水容器から水が供給される水供給部と、前記蒸気筒に設けられ前記蒸気通路と当接して蒸気のもれを防ぐ蒸気筒パッキンと、前記貯水容器に設けられ前記水供給部と当接して水のもれを防ぐ貯水容器パッキンとを備え、前記蒸気筒パッキンと前記貯水容器パッキンは、当接する方向が互いに異なる炊飯器。
【請求項２】
蒸気筒パッキンは、蒸気通路と垂直方向に当接し、貯水容器パッキンは、水供給部と水平方向に当接する請求項１記載の炊飯器。
【請求項３】
貯水容器は、水を排出する水排出孔と、前記水排出孔を開閉する水投入弁とを有し、前記貯水容器一体型蒸気筒が前記蓋に装着されるとき、貯水容器パッキンが水供給部と当接した後に前記水投入弁が開放されるように構成した請求項１記載の炊飯器。
【請求項４】
水供給手段は、前記貯水容器の水投入弁を開閉する弁開閉手段を有し、前記貯水容器一体型蒸気筒は、前記弁開閉手段が前記水投入弁を開閉できる状態になったとき蓋に設けられた嵌合部に嵌合する嵌合用フックを備えた請求項３記載の炊飯器。
【請求項５】
水供給部は、貯水容器の水投入弁を開閉する弁開閉手段を有し、前記弁開閉手段は、前記貯水容器からの水が通過するフィルターを一体に有する請求項１〜４のいずれか１項に記載の炊飯器。
【発明の詳細な説明】
【技術分野】
【０００１】
本発明は、炊飯器に関するものである。
【背景技術】
【０００２】
従来この種の炊飯器において、例えば蒸気を加熱し、水の沸点以上の蒸気を利用した炊飯器が存在している（例えば、特許文献１参照）。
【０００３】
図７は特許文献１に記載された従来の炊飯器を示すものである。図７に示すように、着脱自在な鍋１と、鍋１の上方に位置する鍋１を覆う状態で蓋２を設置し、蓋２の下方部には鍋１内の調理物を加熱するための蓋加熱板３を設け、更に蓋加熱板３を加熱する蓋加熱手段４を設けている。鍋１内の米と水を加熱するために鍋１底部には鍋加熱手段５を備えている。また、蓋２内に蓋加熱板３に設けた蒸気生成部７に水を供給するための貯水容器８を設置し、この貯水容器８の水供給孔部には水投入弁６を設けており、この水投入弁６の開閉をソレノイド（図示なし）や電動機（図示なし）で開閉することで蒸気生成部７に水が供給される。蒸気生成部７に供給された水は、蓋加熱手段４により加熱された蓋加熱板３により加熱され蒸発する。このようにして生成された蒸気は、蓋加熱板３に設けられた蒸気投入部９を通り、鍋１内に上方から投入される。また、この蒸気は蓋加熱板３によって大気圧下の水の沸点（１００℃）以上になる。
【０００４】
このように発明者らは、大気圧下の水の沸点（１００℃）以上の過熱蒸気を鍋開口部上方から、水がほぼ無くなり、米の流動性がなくなる炊飯の最終工程である蒸らし工程で、米澱粉の糊化を完成させる米に供給することの開発に取組んで来た。これは、蒸気が供給されるがゆえに飯の乾燥を伴わない、しかも、１００℃以下の蒸気供給では米粒表面に水が付着するに留まるが、１００℃以上の蒸気であるので、米の糊化を進行させるのに必要なエネルギーをもち、糊化を促進し、炊飯性能を向上させることができるものである。
【０００５】
また、鍋１内の蒸気を機外へ排出する蒸気筒１０が設けられており、この蒸気筒１０は炊飯を行うたびにおねばが付着するため、炊飯を行う毎に洗浄する必要がある。さらに、蒸気を生成するために必要な水を貯める貯水容器には、毎回新鮮な水を入れておく必要がある。これら２部品は炊飯を行うたびに手入れをする必要があり、使用者がバラバラで取り外し、個別に流し台等で洗い給水するのは手間がかかるため、図７に示す炊飯器では、蒸気筒と貯水容器を一体に成形した貯水容器一体型蒸気筒とすることで、一部品を取り外すだけで蒸気筒の洗浄と貯水容器への給水とを一度に行うことができ、使い勝手をよくしている。
【特許文献１】特開２００５−１６０９１８号公報
【発明の開示】
【発明が解決しようとする課題】
【０００６】
しかしながら、前記従来の炊飯器では、貯水容器一体型蒸気筒を蓋２に装着すると、蒸気筒１０と蓋２との間には蒸気筒パッキン１１が設けられているため蒸気筒１０外へ蒸気がもれることはないが、貯水容器５と蓋２との間にはパッキン１１が設けられておらず、貯水容器８から出た水がこぼれて蓋２内へ入ってしまうという問題があった。
【０００７】
そこで、貯水容器８にもパッキン１１と同じパッキンを設けることが考えられるが、貯水容器一体型蒸気筒や蓋２の水平方向、鉛直方向、平面度などの寸法ばらつきにより、貯水容器一体型蒸気筒を蓋２に完全に装着しても２つのパッキンのうち、１つのパッキンは完全に蓋２に当接しているが、もう一方のパッキンは蓋２に当接していないため、蒸気または水がもれてしまうという問題が生じる。
【０００８】
また、製造、検査時には２つのパッキンが完全にシールできている場合であっても、蓋と貯水容器一体型蒸気筒とでは、大きさ、構造、形状変化も違うため、経時変化により形状が変化し、２つのパッキンによるシール性劣化は免れなかった。
【０００９】
本発明は、前記従来の課題を解決するもので、パッキンを有する複数の部品が一体成形された場合であっても、全てのパッキンのシール性を向上させ、安定したシール性を確保することができる炊飯器を提供することを目的としている。
【課題を解決するための手段】
【００１０】
前記従来の課題を解決するために、本発明の炊飯器は、鍋と、前記鍋の開口部を覆う蓋と、前記蓋に設けられ前記鍋内の蒸気を排出する蒸気孔を有する蓋加熱板と、前記蓋に設けられ前記蒸気孔と連通する蒸気通路と、前記蓋に着脱自在に設けられ、前記蒸気通路と連通し前記鍋内の蒸気を機外へ放出する蒸気筒と貯水容器とを有する貯水容器一体型蒸気筒と、前記貯水容器一体型蒸気筒が前記蓋に装着されたとき前記貯水容器から水が供給される水供給部と、前記蒸気筒に設けられ前記蒸気通路と当接して蒸気のもれを防ぐ蒸気筒パッキンと、前記貯水容器に設けられ前記水供給部と当接して水のもれを防ぐ貯水容器パッキンとを備え、前記蒸気筒パッキンと前記貯水容器パッキンは、当接する方向が互いに異なるものであり、外蓋や貯水容器一体型蒸気筒の寸法ばらつきによらず、蒸気排出部と水排出部の両方のシール性を確保することができる。
【発明の効果】
【００１１】
本発明の炊飯器は、パッキンを有する複数の部品が一体成形された場合であっても、全てのパッキンのシール性を確保することができるものである。
【発明を実施するための最良の形態】
【００１２】
第１の発明は、鍋と、前記鍋の開口部を覆う蓋と、前記蓋に設けられ前記鍋内の蒸気を排出する蒸気孔を有する蓋加熱板と、前記蓋に設けられ前記蒸気孔と連通する蒸気通路と、前記蓋に着脱自在に設けられ、前記蒸気通路と連通し前記鍋内の蒸気を機外へ放出する蒸気筒と貯水容器とを有する貯水容器一体型蒸気筒と、前記貯水容器一体型蒸気筒が前記蓋に装着されたとき前記貯水容器から水が供給される水供給部と、前記蒸気筒に設けられ前記蒸気通路と当接して蒸気のもれを防ぐ蒸気筒パッキンと、前記貯水容器に設けられ前記水供給部と当接して水のもれを防ぐ貯水容器パッキンとを備え、前記蒸気筒パッキンと前記貯水容器パッキンは、当接する方向が互いに異なるものであり、外蓋や貯水容器一体型蒸気筒の寸法ばらつきによらず、蒸気筒と貯水容器の両方のシール性を確保し、水や蒸気がもれて蓋内に入るのを防ぐことができる。
【００１３】
第２の発明は、前記第１の発明において、蒸気筒パッキンは、蒸気通路と鉛直方向に当接し、貯水容器パッキンは、水供給部と水平方向に当接するものであり、水平方向の寸法ばらつきが生じた場合は蒸気筒パッキンで水平方向のばらつきを吸収することができ、鉛直方向の寸法にばらつきが生じた場合は貯水容器パッキンで鉛直方向のばらつきを吸収することができる。
【００１４】
第３の発明は、前記第１または第２の発明において、貯水容器は、水を排出する水排出孔と、前記水排出孔を開閉する水投入弁とを有し、前記貯水容器一体型蒸気筒が前記蓋に装着されるとき、貯水容器パッキンが水供給部と当接した後に前記水投入弁が開放されるように構成したものであり、貯水容器のセットされるスピードによらず、安定したシール性を確保することができる。
【００１５】
第４の発明は、前記第３の発明において、水供給手段は、前記貯水容器の水投入弁を開閉する弁開閉手段を有し、前記貯水容器一体型蒸気筒は、前記弁開閉手段が前記水投入弁を開閉できる状態になったとき外蓋に設けられた嵌合部に嵌合する嵌合用フックを備えたものであり、貯水容器一体型蒸気筒が完全にセットされたか否かを炊飯器使用者に気づかせることができ、不完全にセットされたことによるシール性低下を防ぐことができる。
【００１６】
第５の発明は、前記第１〜第４の発明において、水供給部は、貯水容器の水投入弁を開閉する弁開閉手段を有し、前記弁開閉手段は、前記貯水容器からの水が通過するフィルターを一体に有するものであり、貯水容器に混入した異物が貯水容器から出て炊飯器内へ入るのを防ぐことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における炊飯器の断面図を示すものである。
【００１９】
以下、本発明の第１の実施の形態を第１図により説明する。図１において、ボディ３１は上面が開口する略円筒形での機体である。このボディ３１の開口部には上枠３２が嵌着している。ボディ３１内部には上枠３２とコイルベース３３とで鍋３４収納部を形成している。コイルベース３３は有底円筒状に形成され、コイルベース３３上端部は上枠３２に固定されている。コイルベース３３には鍋３４を誘導加熱するための底誘導コイル３５が設置されており、鍋３４を誘導加熱しているのである。また、鍋３４底面には鍋３４の温度を検知する底センサー３６がセンサーバネ（図示しない）により付勢されており、炊飯及び、保温時の鍋温度を検知し、鍋３４内の調理物が最適な温度状態になるよう、制御されているのである。
【００２０】
合成樹脂製の外蓋（蓋）３７の下面には外蓋カバー４１が設置されており、外蓋カバー４１に設置されているヒンジ軸４２を中心に上枠３２の後部に一体成形されたヒンジ部材（図示せず）を介して回動自在に支持されている。
【００２１】
この外蓋カバー４１の下面には鍋パッキン３９付着脱式の蓋加熱板３８が、外蓋カバー４１に１ヶ所の係止部と２ヶ所の嵌合部の３ヶ所により嵌合している。また蓋加熱板３８上方には蓋加熱板３８を誘導加熱するための蓋コイル４０が外蓋カバー４１に貼り付けられているのである。
【００２２】
図２は、本発明の第１の実施の形態における炊飯器の要部断面図である。図２に示すように、蓋加熱板３８には鍋３４から発生する蒸気を放出するための蒸気孔３８ｄが設けられ、外蓋３７を閉じた状態のとき、着脱式の蒸気通路パッキン４３ａを介して蒸気孔３８ｄと連通する蒸気通路４３ｂが外蓋３７に設けられている。蒸気通路パッキン４３ａは、蒸気孔３８ｄと蒸気通路４３ｂとの間で蒸気が外蓋３７内へ漏れないようにシールするものであり、略筒状で形成され、上部が蒸気通路４３ｂの下部と嵌合し、下端が蓋加熱板３８と鉛直方向に当接して外蓋３７とシールしている。
【００２３】
外蓋３７は、蒸気通路４３ｂと連通して蒸気を機外へ排出する蒸気筒４３と、蒸気を生成するための水を貯水する貯水容器４４とが一体に成形された貯水容器一体型蒸気筒４６が上方から着脱自在に取り付けられている。
【００２４】
図３は、本発明の第１の実施の形態における要部投影図である。図２および図３に示すように、貯水容器４４に貯水された水は蓋加熱板３８に設けられた蒸気生成部３８ａに給水され、蓋加熱板３８を蓋コイル４０で加熱することで、蒸気生成部３８ａの水を沸騰させ蒸気を生成する。蒸気生成部３８ａ以外の部分は１００℃以上となっているため、図３に示す矢印のように蒸気投入部へ移動する蒸気は、加熱されて１００℃以上の過熱蒸気となり、蒸気投入部３８ｃより鍋３４内に投入される。
【００２５】
過熱蒸気が必要である理由をのべる。まず炊飯を３つの工程にわけて考えてみる。まず炊飯を開始してから鍋３４内を約６０℃で維持する工程がある。この工程では米に水分を十分に吸水させる工程であるので、吸水工程と呼ぶ。さらに吸水工程の次の工程では鍋３４内の調理物を１００℃に沸騰させ、水分がなくなるまで一定時間、調理物を１００℃付近で維持するための炊き上げ工程、最後に水が無くなってから、米を十分に糊化させるためのむらし工程に分けることができる。
【００２６】
吸水工程、炊き上げ工程では鍋３４内に水がまだ十分にあるために、鍋３４からの加熱で十分に調理物を加熱することが可能である。しかし、むらし工程においては、すでに鍋３４内には水がなくなっており、鍋３４の加熱を続けると調理物が焦げてしまう。鍋３４の加熱ができないために蓋加熱板３８からの輻射熱を利用して調理物の表面から加熱を行うが、やはり加熱しすぎると調理物表面が乾燥してしまう結果となり、むらし工程では今まで、十分な加熱を行うことができなかった。
【００２７】
そこで、水がすでになくなっている、むらし工程においては１００℃以上の過熱蒸気を鍋３４の開口部から鍋３４内へ投入することで特に上層部のご飯を十分に加熱することができるのである。投入された蒸気はご飯表面に付着するのみではなく、過熱蒸気がご飯に接触することで、ご飯の糊化が促進されるのである。また蓋加熱板３８のみの加熱ではご飯表面を加熱するに過ぎないが、加熱された蒸気はご飯表面のみでなく、ご飯の隙間を通り、ご飯中層部にも影響を与えることができるのである。
【００２８】
もう一度貯水容器４４の構成について説明していくと、この貯水容器４４は貯水容器蓋４４ａが設けられており、貯水容器４４の水排出孔４４ｂには水投入弁４４ｃが水投入弁バネ４４ｄにより下方に付勢されており、水排出孔４４ｂのシールを行っているのである。貯水容器一体型蒸気筒４６が外蓋３７にセットされると、貯水容器４４の水投入弁４４ｃおよび後述する貯水容器パッキン４６ｂが、外蓋３７に設けられ下方へ凹んだ水供給部３７ｂ内に入る状態になる。水供給部３７ｂには、水投入弁４４ｃを開放するための上方へ突出する凸部３７ａ（弁開閉手段）が設けられており、凸部３７ａが水投入弁４４ｃを押し上げることにより水投入弁４４ｃが開放され、水が蒸気生成部３８ａに供給される。
【００２９】
貯水容器４４の水排出孔４４ｂには、貯水容器パッキン４６ｂが設置されており、水排出孔４４ｂから排出された水があふれて外蓋３７内部へもれないよう外蓋３７のシールを行うとともに、貯水容器４４の外蓋３７への嵌合部材としての役割も行っている。
【００３０】
貯水容器パッキン４６ｂは、ほぼ中央から水平方向へ突出する略環状のリップ片が全周に設置された構成になっており、貯水容器一体型蒸気筒４６が外蓋３７にセットされると、水供給部３７ｂの内壁に全周リップ片の先端部が水平方向に当接することでシールを行っている。
【００３１】
ここで、貯水容器パッキン４６ｂと水供給部３７ｂについて説明する。図４は、本発明の第１の実施の形態における炊飯器の要部断面図であり、（ａ）は貯水容器一体型蒸気筒が不完全にセットされている状態を示し、（ｂ）は貯水容器一体型蒸気筒が完全にセットされている状態を示している。
【００３２】
貯水容器一体型蒸気筒４６が外蓋３７にセットされる際、貯水容器４４の水排出孔４４ｂは水供給部３７ｂ内に入り込み、貯水容器パッキン４６ｂの先端部は水供給部３７ｂの内壁と水平方向に当接する。このとき、貯水容器パッキン４６ｂのシール性を確保した状態になって初めて、水投入弁４４ｃが凸部３７ａと当たり開放される寸法関係になっている。これを実現するために、図４（ａ）に示すように、貯水容器パッキン４６ｂが水供給部３７ｂ内へ所定の距離Ａまで入り込まないと水投入弁４４ｃが凸部３７ａと当たらないように構成している。
【００３３】
貯水容器一体型蒸気筒４６を外蓋３７にセットするときの力の強さ、スピードは使用者によってさまざまであり、強く押し込まれて勢いよくセットされた場合は、貯水容器パッキン４６ｂと水供給部３７ｂの当接するタイミングと水投入弁４４ｃと凸部３７ａが当たるタイミングがほぼ同時となり、ほとんど水はこぼれることは無い。しかし、貯水容器一体型蒸気筒４６がゆっくりとセットされた場合、貯水容器パッキン４６ｂと水供給部３７ｂが当接してシールするより前に水投入弁４４ｃと凸部３７ａが当たってしまうと、水がこぼれでてしまう。どのような取り付け方法でも貯水容器４４の水をこぼさないようにする必要があり、そのため、所定の距離Ａを設けて貯水容器パッキン４６ｂがシールを確保してから、水投入弁４４ｅを開放するよう構成することで、水がこぼれるのを防ぐようにしている。
【００３４】
また、蒸気筒４３は、貯水容器一体型蒸気筒４６が外蓋３７にセットされると、蒸気筒パッキン４６ａを介して蒸気通路４３ｂと連通するように構成されており、蒸気筒パッキン４６ａにより蒸気通路４３ｂと蒸気筒３との間で蒸気がもれて外蓋３７内へ侵入するのを防いでいる。
【００３５】
蒸気筒パッキン４６ａは、略筒状で上部が蒸気筒４３の下部に固定されている。下部には全周に外方へ突出する「く」の字のリップ片が設けられており、このリップ片の下部が蒸気通路４３ｂと鉛直方向に当接し、シールを行っている。
【００３６】
このように、蒸気筒パッキン４６ａと貯水容器パッキン４６ｂが当接する方向、すなわちシール方向を鉛直方向と水平方向にして互いに異なる方向にしている。この理由を以下に述べる。
【００３７】
例えば、それぞれのパッキンのシール方向が水平方向であったとする。貯水容器一体型蒸気筒４６には蒸気筒４３側のシールと貯水容器４４側のシールと２箇所のシールを外蓋３７と成立させなくてはならない。しかし、外蓋３７にも蒸気経路４３ｂと水供給部３７ｂの２箇所を設けているため、必ず水平方向の寸法ばらつきが存在する。このため、外蓋３７と貯水容器一体型蒸気筒４６の各々の寸法ばらつきをパッキンのしめ代で吸収するする必要が出てくる。しかし、外蓋３７、貯水容器一体型蒸気筒４６を特に樹脂部品で作成した場合、外蓋３７と貯水容器一体型蒸気筒４６の大きさの違い、形状の違いなど、製品の初期状態でもばらつきが大きく、各々のパッキンでこの寸法ばらつきを吸収することは難しい。更に、製品を使用していくにつれて、樹脂部品の熱収縮が進行していき、たとえ初期状態でシール性を確保することができても、次第にシール性が低下してしまうのである。
【００３８】
また、各々のパッキンのシール面が鉛直方法であった場合のシールについても同様の問題が生じる。
【００３９】
そこで、ここでは蒸気筒パッキン４６ａのシール方向を鉛直方向にし、貯水容器パッキン４６ｂのシール方向を水平方向にして互いに異なる方向でシールすることで、外蓋３７と貯水容器一体型蒸気筒４６の各方向の寸法ばらつきを各々のパッキンで吸収できるようにしている。例えば、外蓋３７、貯水容器一体型蒸気筒４６の寸法ばらつきが水平方向で発生したとき、蒸気筒パッキン４６が鉛直方向に蒸気経路４３ｂと当接しシールしていることで、蒸気筒パッキン４６ａで水平方向のばらつきを吸収することができ、また、寸法ばらつきが鉛直方向で発生したとき、貯水容器パッキン４６ｂが水平方向に水供給部３７ｂと当接しシールしていることで、貯水容器パッキン４６ｂで鉛直方向のばらつきを吸収することができる。
【００４０】
以上のように、本発明における実施の形態１では、蒸気筒パッキン４６ａと貯水容器パッキン４６ｂの当接によりシールする方向を互いに異ならせることによって、蒸気筒４３と貯水容器４４の両方のシール性を確保することができ、水や蒸気がもれて外蓋内へ侵入するのを防ぐことができる。
【００４１】
また、貯水容器４４へ給水する際に異物が混入する場合があり、その異物が貯水容器４４内の水とともに炊飯器内へ排出されてしまう。水と一緒に蓋加熱板３８に給水される場合はそれほど問題ではないが、蓋加熱板３８に給水する水量を制御するために、ポンプ（図示せず）などを利用して給水する場合、貯水容器４４に異物が混入していると、異物がポンプ内に侵入しポンプを詰まらしてしまい、給水できなくなってしまうのである。
【００４２】
このような状態を防止するために、図５に示すように水供給部３７ｂにフィルター４５を設けることで、貯水容器４４に混入した異物がフィルター４５で集められポンプなどに侵入しないようにすることができる。
【００４３】
また、フィルター４５は異物等が付着するため適宜取り外して洗浄する必要があり、フィルター４５の付け忘れが発生する。そこで、フィルター４５に水投入弁開放用の凸部４５ａを一体に設けることで、もしフィルター４５を付け忘れて貯水容器４４がセットされた場合、水投入弁４４ｃは開放されないので、ポンプが動作しても異物の混入した水はポンプに浸入することはない。このような構成にすることでフィルター４５の有無検知を設置することなく、確実に異物がポンプ内などに侵入することが防ぐことができるのである。もちろん、コスト的に高くなるが、従来技術であるリードＳＷ、リーフＳＷなどを用いて電気的に制御してもよい。
【００４４】
さらに、図６に示すように、鉛直方向のシール性能を向上するために、貯水容器一体型蒸気筒４６に嵌合バネ４６ｃで付勢され水平方向へ突出する嵌合レバー４６ｄを設け、外蓋３７に設けた、嵌合レバー４６ｄが嵌まるように凹んだ嵌合部３７ｃに嵌合させることで、貯水容器一体型蒸気筒４６自身の鉛直方向の位置決めを行うことができ、鉛直方向のシール性が向上する。更に嵌合レバー４６ｄを設けることで、貯水容器一体型蒸気筒４６の着脱にクリック感を持たすことができ、炊飯器使用者に貯水容器一体型蒸気筒４６の正常なセット位置を認識させることができるのである。このことで、炊飯器使用者の貯水容器一体型蒸気筒４６が不完全にセットされ、シール劣化が生じるのを防ぐことが可能となるのである。
【００４５】
なお、本発明における実施の形態１では、貯水容器一体型蒸気筒４６における貯水容器４４について、図４に示すように所定の距離Ａを設けて貯水容器パッキン４６ｂがシールを確保してから、水投入弁４４ｃを開放するよう構成することで、水がこぼれるのを防ぐようにしているが、貯水容器と蒸気筒を一体成形した貯水容器によらず、単体の貯水容器であっても、同様の効果を得ることができる。
【００４６】
また、本発明における実施の形態１では、蒸気筒パッキン４４ａ、貯水容器パッキン４４ｂ、水投入弁４４ｃは貯水容器一体型蒸気筒４６に設けられている構成で説明したが、これらの部品は貯水容器一体型蒸気筒４６に設ける必要はなく、設置する場所によらず、各々の部品の機能が同じであれば、同様の効果を得ることができることは言うまでもない。
【００４７】
また、本発明における実施の形態１では、貯水容器４４の水は外蓋３７に設けた蓋加熱板３８に供給するようにしたが、ボディ３１に蒸気生成部を設けその蒸気生成部に供給する等、外蓋３７以外に設けた部分へ供給するようにしてもよい。
【００４８】
また、本発明における実施の形態１では、蓋加熱板３８の加熱は電磁誘導加熱方式での説明であるが、誘導加熱に限定されるものではない。
【００４９】
また、本発明における実施の形態１では、貯水容器３８の水投入弁４４ｃの構成は水投入弁バネ４４ｄによる付勢方式での水投入弁の構成で説明しているが、機械的に開閉できる弁であれば、同じ効果を得ることができる。
【００５０】
また、本発明における実施の形態１では、貯水容器一体型蒸気筒４６が外蓋３７にセットされる構成で説明したが、外蓋３７以外の部分にセットする構成であってもよい。
【００５１】
また、本発明における実施の形態１では、貯水容器４４のセット方向は上方からのセット方向で説明したが、セット方向は限定するものではなく、水平方向でセットした場合でも貯水容器パッキン４６ｂのシールを確保してから、水投入弁４４ｃを開放するよう構成することで、同様の効果を得ることができる。
【００５２】
また、本発明における実施の形態１では、貯水容器４４への水給水方法は貯水容器一体型蒸気筒４６を外蓋３７から外した状態で給水し、外蓋３７にセットする方法で説明したが、貯水容器一体型蒸気筒４６を外蓋３７にセットした状態で貯水容器蓋４４ａを開放し給水した場合でも、フィルター４５を設けることで、異物の侵入を防止できる。
【００５３】
また、本発明における実施の形態１では、ポンプなどに侵入する異物についての説明であったが、ポンプを使用しない場合でも、蓋加熱板３８に異物混入した水を給水することが防止できることになることは言うまでもない。
【００５４】
また、本発明における実施の形態１では、貯水容器４４は蒸気を生成するための水をいれる容器として説明したが、炊飯するために必要な水等その他に必要な水を貯水する容器であっても同様の効果を得ることができる。
【００５５】
また、本発明における実施の形態１では、貯水容器４４および蒸気筒４３が一体となった貯水容器一体型蒸気筒について説明したが、パッキンを必要とする複数の部品が一体成形されたものであっても同様の効果を得ることができる。
【産業上の利用可能性】
【００５６】
以上のように、本発明にかかる炊飯器は、貯水容器等、パッキンを必要とする複数の部品が一体成形された部品を有する調理器全般に利用が可能である。
【図面の簡単な説明】
【００５７】
【図１】本発明の第１の実施の形態における炊飯器の断面図
【図２】同炊飯器の要部断面図
【図３】同炊飯器の要部投影図
【図４】（ａ）同炊飯器の貯水容器一体型蒸気筒が不完全にセットされている状態を示す図（ｂ）同炊飯器の貯水容器一体型蒸気筒が完全にセットされている状態を示す図
【図５】本発明の第１の実施の形態における炊飯器の断面図
【図６】本発明の第１の実施の形態における炊飯器の断面図
【図７】従来の炊飯器の断面図
【符号の説明】
【００５８】
３１  ボディ（本体）
３４  鍋
３７  外蓋（蓋）
３７ａ  凸部（弁開閉手段）
３７ｂ  水供給部
３７ｃ  嵌合部
３８  蓋加熱板
３８ｄ  蒸気孔
４３  蒸気筒
４３ｂ  蒸気通路
４４  貯水容器
４４ｂ  水排出孔
４４ｃ  水投入弁
４５  フィルター
４６  貯水容器一体型蒸気筒
４６ａ  蒸気筒パッキン
４６ｂ  貯水容器パッキン
４６ｃ  嵌合用フック（嵌合レバー）
４６ｄ  嵌合部
【図１】
0004655962.tif 000002
【図２】
0004655962.tif 000003
【図３】
0004655962.tif 000004
【図４】
0004655962.tif 000005
【図５】
0004655962.tif 000006
【図６】
0004655962.tif 000007
【図７】
0004655962.tif 000008